(57)【特許請求の範囲】
【請求項１】
タッチスクリーンと、
前記タッチスクリーンのブラウザに第１のタブのウェブページを表示し、前記タッチスクリーンへのドラッグ操作に応じて前記第１のタブのウェブページの表示から別のタブのウェブページの表示へ切り替える制御部とを具備し、
前記制御部は、前記タッチスクリーン上での第１の方向からの、前記ドラッグ操作の角度が所定角度以下である場合には、現在表示されている前記第１のタブのウェブページの表示から、それに隣接する第２のタブのウェブページの表示に切り替え、前記ドラッグ操作の角度が前記第１の方向から前記所定角度を超える場合には、当該ドラッグ操作の角度に応じて、現在表示されている前記第１のタブに隣接する前記第２のタブのウェブページを飛ばして第３のタブのウェブページの表示へ切り替える
電子機器。
【請求項２】
請求項１に記載の電子機器であって、
前記制御部は、前記タッチスクリーンの第１の方向に前記ドラッグ操作が向かうとき、前記第１の方向に前記第１のタブのウェブページが移動して前記ブラウザから消え、前記第１の方向に前記第２のタブのウェブページが前記第１のタブのウェブページの後から並進移動して前記ブラウザから出現するように表示することで、前記第１のタブのウェブページの表示から前記第２のタブのウェブページの表示へ切り替える
電子機器。
【請求項３】
請求項２に記載の電子機器であって、
前記制御部は、前記タッチスクリーンの第１の方向と直交する第２の方向に前記ドラッグ操作が向かうとき、前記第２の方向に前記第１のタブのウェブページが移動して前記ブラウザから消え、前記第２の方向に前記第１のタブのウェブページのウェブ履歴に関連する別のウェブページが前記第１のタブのウェブページの後から並進移動して前記ブラウザから出現するように表示することで、前記第１のタブのウェブページの表示から前記第１のタブのウェブページのウェブ履歴に関連する別のウェブページの表示へ切り替える
電子機器。
【請求項４】
請求項２に記載の電子機器であって、
前記制御部は、前記タッチスクリーンの第１の方向と直交する第２の方向に前記ドラッグ操作が向かうとき、前記第２の方向に前記第１のタブのウェブページが移動して前記ブラウザから消え、前記第２の方向に前記第１のタブのウェブページのハイパーリンクに関連する別のウェブページが前記第１のタブのウェブページの後から並進移動して前記ブラウザから出現するように表示することで、前記第１のタブのウェブページの表示から前記第１のタブのウェブページのハイパーリンクに関連する別のウェブページの表示へ切り替える
電子機器。
【請求項５】
請求項２に記載の電子機器であって、
前記制御部は、前記タッチスクリーンの第１の方向に前記ドラッグ操作が向かう間に、前記第１のタブのウェブページが前記ブラウザから消えたときに、前記第１のタブのウェブページが戻って表示されることなく、前記第１のタブのウェブページの表示から前記第２のタブのウェブページの表示へ切り替える
電子機器。
【請求項６】
請求項２に記載の電子機器であって、
前記制御部は、前記タッチスクリーンの第１の方向に前記第２のタブのウェブページが前記第１のタブのウェブページの後から並進移動している間に、前記ドラッグ操作が前記第１の方向と反対方向の第２の方向に向かったとき、前記第１のタブのウェブページの表示から前記第２のタブのウェブページの表示へ切り替えることなく、前記第１のタブのウェブページを表示する
電子機器。
【請求項７】
タッチスクリーンと、
前記タッチスクリーンのブラウザに第１のタブのウェブページを表示し、前記タッチスクリーンへのドラッグ操作に応じて前記第１のタブのウェブページの表示から別のタブのウェブページの表示へ切り替える制御部とを具備する電子機器による表示方法であって、
前記制御部は、前記タッチスクリーン上での第１の方向からの、前記ドラッグ操作の角度が所定角度以下である場合には、現在表示されている前記第１のタブのウェブページの表示から、それに隣接する第２のタブのウェブページの表示に切り替え、前記ドラッグ操作の角度が前記第１の方向から前記所定角度を超える場合には、当該ドラッグ操作の角度に応じて、現在表示されている前記第１のタブに隣接する前記第２のタブのウェブページを飛ばして第３のタブのウェブページの表示へ切り替える
表示方法。
【請求項８】
タッチスクリーンと、
前記タッチスクリーンのブラウザに第１のタブのウェブページを表示し、前記タッチスクリーンへのドラッグ操作に応じて前記第１のタブのウェブページの表示から別のタブのウェブページの表示へ切り替える制御部とを具備する電子機器に実行させるプログラムであって、
前記制御部が、前記タッチスクリーン上での第１の方向からの、前記ドラッグ操作の角度が所定角度以下である場合には、現在表示されている前記第１のタブのウェブページの表示から、それに隣接する第２のタブのウェブページの表示に切り替え、前記ドラッグ操作の角度が前記第１の方向から前記所定角度を超える場合には、当該ドラッグ操作の角度に応じて、現在表示されている前記第１のタブに隣接する前記第２のタブのウェブページを飛ばして第３のタブのウェブページの表示へ切り替えるステップを実行する
プログラム。
【発明の詳細な説明】
【技術分野】
【０００１】
本技術は、電子機器、表示方法及びプログラムに関する。
【背景技術】
【０００２】
タッチスクリーンを有するスマートフォンなどの携帯端末では、ブラウザにタブのリストを表示し、そのリストからタブを選択することで、ブラウザに選択されたタブに対応するウェブページが表示される。特許文献１には、これに関連する技術が開示されている。
【先行技術文献】
【特許文献】
【０００３】
【特許文献１】特開２００４−３０１４５号公報
【発明の概要】
【発明が解決しようとする課題】
【０００４】
上記のリストからタブを選択する技術では、タブを切り替えるためには、タブのリスト表示のためにタッチスクリーンへのタッチ動作を行い、そこからさらにタブ選択のためのタッチ動作を行う必要がある。
以上のような事情に鑑み、本技術の目的は、簡単な操作でタブを切り替えることができる電子機器、表示方法及びプログラムを提供することにある。
【課題を解決するための手段】
【０００５】
本技術に係る電子機器は、タッチスクリーンと、制御部とを備える。
【０００６】
制御部は、タッチスクリーンのブラウザに第１のタブのウェブページを表示し、タッチスクリーンへのドラッグ操作に応じて第１のタブのウェブページの表示から第２のタブのウェブページの表示へ切り替える。
【０００７】
本技術では、ドラッグ操作を行うだけで第１のタブのウェブページの表示から第２のタブのウェブページの表示へ切り替えることができるので、簡単な操作でタブを切り替えることができる。
【０００８】
制御部は、タッチスクリーンの第１の方向に前記ドラッグ操作が向かうとき、第１の方向に第１のタブのウェブページが移動してブラウザから消え、第１の方向に第２のタブのウェブページが第１のタブのウェブページの後から並進移動してブラウザから出現するように表示することで、第１のタブのウェブページの表示から第２のタブのウェブページの表示へ切り替えるものであってもよい。
【０００９】
本技術では、第２のタブのウェブページが第１のタブのウェブページの後から並進移動して表示されるので、第２のタブのウェブページの表示を確認しながらウェブページを切り替えることができる。
【００１０】
制御部は、タッチスクリーンの第１の方向と直交する第２の方向にドラッグ操作が向かうとき、第２の方向に第１のタブのウェブページが移動してブラウザから消え、第２の方向に第１のタブのウェブページのウェブ履歴に関連する別のウェブページが第１のタブのウェブページの後から並進移動してブラウザから出現するように表示することで、第１のタブのウェブページの表示から第１のタブのウェブページのウェブ履歴に関連する別のウェブページの表示へ切り替えるものであってもよい。
【００１１】
本技術では、ドラッグの方向に応じてタブの切り替えとウェブ履歴に関連するウェブページの切り替えができるので、簡単な操作で特定のウェブページに辿り着くことができる。
【００１２】
制御部は、タッチスクリーンの第１の方向と直交する第２の方向にドラッグ操作が向かうとき、第２の方向に第１のタブのウェブページが移動してブラウザから消え、第２の方向に第１のタブのウェブページのハイパーリンクに関連する別のウェブページが第１のタブのウェブページの後から並進移動してブラウザから出現するように表示することで、第１のタブのウェブページの表示から第１のタブのウェブページのハイパーリンクに関連する別のウェブページの表示へ切り替えるものであってもよい。
【００１３】
本技術では、ドラッグの方向に応じてタブの切り替えとハイパーリンクに関連するウェブページの切り替えができるので、簡単な操作で特定のウェブページに辿り着くことができる。
【００１４】
制御部は、タッチスクリーンの第１の方向にドラッグ操作が向かう間に、第１のタブのウェブページがブラウザから消えたときに、第１のタブのウェブページが戻って表示されることなく、第１のタブのウェブページの表示から第２のタブのウェブページの表示へ切り替えるものであってもよい。
【００１５】
本技術では、第１のタブのウェブページがブラウザから消えるところまでドラッグ操作を行うことで第２のタブのウェブページに切り替えられるので、第１のタブのウェブページの表示から第２のタブのウェブページの表示へ切り替えをより直感的に操作で行うことができる。
【００１６】
制御部は、第１の方向に第２のタブのウェブページが第１のタブのウェブページの後から並進移動している間に、ドラッグ操作が第１の方向と反対方向の第２の方向に向かったとき、第１のタブのウェブページの表示から前記第２のタブのウェブページの表示へ切り替えることなく、第１のタブのウェブページを表示するものであってもよい。
【００１７】
本技術では、第２のタブのウェブページを少し見てウェブページが進行する方向とは逆方向にドラッグ操作をすると第１のタブのウェブページの表示から前記第２のタブのウェブページの表示へ切り替えることなく、第１のタブのウェブページを表示するので、第２のタブのウェブページが必要かどうかをウェブページの切り替えが終わる前に判断でき、必要でない場合には第２のタブのウェブページへの切り替えをより直感的な操作でキャンセルすることができる。
【００１８】
本技術に係る表示方法は、タッチスクリーンのブラウザに第１のタブのウェブページを表示し、前記タッチスクリーンへのドラッグ操作に応じて前記第１のタブのウェブページの表示から第２のタブのウェブページの表示へ切り替える。
【００１９】
本技術では、ドラッグ操作を行うだけで第１のタブのウェブページの表示から第２のタブのウェブページの表示へ切り替えるので、簡単な操作でタブの切り替えができる。
【００２０】
本技術に係るプログラムは、タッチスクリーンのブラウザに第１のタブのウェブページを表示するステップと、前記タッチスクリーンへのドラッグ操作に応じて前記第１のタブのウェブページの表示から第２のタブのウェブページの表示へ切り替えるステップとを電子機器に実行させる。
【００２１】
本技術では、ドラッグ操作を行うだけで第１のタブのウェブページの表示から第２のタブのウェブページの表示へ切り替えるので、簡単な操作でタブの切り替えができる。
【発明の効果】
【００２２】
以上のように、本技術によれば、簡単な操作でタブを切り替えることができる。
【図面の簡単な説明】
【００２３】
【図１】本技術に係る一実施形態の電子機器の構成を示すブロック図である。
【図２】図１に示したタッチスクリーンにおける表示例を示す図である。
【図３】一実施形態におけるタブと履歴に係るウェブページの配置のイメージ図である。
【図４】一実施形態におけるドラッグ操作によるウェブページの切り替え動作を説明するためのフローチャートである。
【図５Ａ】一実施形態におけるウェブページが徐々に消え徐々に出現する模様を示す図である。
【図５Ｂ】一実施形態におけるウェブページが徐々に消え徐々に出現する模様を示す図である。
【図５Ｃ】一実施形態におけるウェブページが徐々に消え徐々に出現する模様を示す図である。
【図５Ｄ】一実施形態におけるウェブページが徐々に消え徐々に出現する模様を示す図である。
【図６Ａ】比較例としてのタブのウェブページの切り替えを説明するための図である。
【図６Ｂ】比較例としてのタブのウェブページの切り替えを説明するための図である。
【図６Ｃ】比較例としてのタブのウェブページの切り替えを説明するための図である。
【図７】比較例としてのタブのウェブページの切り替えを説明するための図である。
【図８】他の実施形態に係るタッチスクリーンのブラウザに表示されたウェブページを示す図である。
【発明を実施するための形態】
【００２４】
以下、本技術に係る実施形態を、図面を参照しながら説明する。
［電子機器の構成］
図１は本技術に係る一実施形態の電子機器の構成を示すブロック図である。
【００２５】
電子機器としては、例えばＰＣ（Personal  Computer）やスマートフォンなどの情報処理装置を例にして説明するが、タッチスクリーンを有する他の電子機器にも本技術を適用できる。
【００２６】
図１に示すように、電子機器１００は、ＣＰＵ（Central processing Unit）を含む制御部１１１、ＲＯＭ（Read Only Memory）１１２、ＲＡＭ（Random Access Memory）１１３、入出力インターフェース１１５、及びこれらを互いに接続するバス１１４を備える。
【００２７】
制御部１１１は、必要に応じてＲＡＭ１１３等に適宜アクセスし、各演算処理を行いながら電子機器１００の各ブロック全体を統括的に制御する。ＲＯＭ１１２は、制御部１１１に実行させるＯＳ、プログラムや各種パラメータなどのファームウェアが固定的に記憶されている不揮発性のメモリである。ＲＡＭ１１３は、制御部１１１の作業用領域などとして用いられ、ＯＳ、実行中の各種アプリケーションプログラム、処理中の各種データを一時的に保持する。
入出力インターフェース１１５には、タッチスクリーン１１６、記憶部としてのＨＤＤ１１８、ネットワーク１５０等が接続される。  
【００２８】
ＨＤＤ１１８には、上記ＯＳや各種アプリケーションプログラム、各種データが記憶される。ネットワーク１５０は、無線又は有線によってネットワークに接続する。タッチスクリーン１１６は、例えば入力装置としてのタッチパネルと表示部としての液晶パネルとで構成される。
【００２９】
タッチスクリーン１１６のタッチパネルは、液晶パネルの表面上に重畳して配設される透明な感圧式の入力装置である。タッチパネルは、表示画面内の任意の箇所に対するユーザの入力操作を受け付ける。ユーザが指又はタッチペンを用いてタッチパネルにタッチ操作やドラッグ操作などのジェスチャー操作をすると、タッチパネルは、当該ジェスチャー操作に対応する位置の座標を検出して制御部１１１に出力する。なお、入力装置としては、表示部に対するユーザのジェスチャー操作を検出可能であれば、タッチパネル以外にも、接触式や非接触式にかかわらず、任意の位置検出デバイスを使用してもよい。
【００３０】
タッチスクリーン１１６の液晶パネルは、液晶ディスプレイ等の表示パネル部と、該表示パネル部を表示駆動する表示駆動部と有する。上記表示駆動部は、バス１１４を介して入力される各種の表示データを上記表示パネル部に表示させるための画素駆動回路で構成されている。画素駆動回路は、上記表示パネル部においてマトリクス状に配置されている各画素について、それぞれ所定の水平／垂直駆動タイミングで画像信号に基づく駆動信号を印加し、表示を実行させる。
【００３１】
このように構成された電子機器１００では、図２に示すように、例えばタッチスクリーン１１６にタブブラウザ２０が表示可能である。タッチスクリーン１１６のほぼ全面にタブブラウザ２０を表示しているが、図２の点線で示すようにタブブラウザ２０を縮小してタッチスクリーン１１６の一部の領域に表示しても構わない。
タブブラウザ２０内のウィドウでは、タブを切り替えることで、現在１つのウィドウに表示しているタブのウェブページから別のタブのウェブページに切り替えることができる。この実施形態では、タブブラウザ２０に対して例えば５つのタブのウェブページが設定（登録）されているとすると、例えば図３に示すように、左右に５つのタブのウェブページ３１−３５が並んでいるようにユーザにイメージされるようになっている。
【００３２】
各ウェブページ３１−３５には、各ウェブページ３１−３５の履歴に係るウェブページが上下に並んでいるようにユーザにイメージされるようになっている。図３において、点線で示す４つのウェブページ３３ａ−３３ｄは、タブのウェブページ３３の履歴に係るウェブページである。ウェブページ３３より上にあるウェブページ３３ａ、３３ｂはウェブページ３３に至るまでに開いてきたウェブページである。ウェブページ３３より下にあるウェブページ３３ｃ、３３ｄはウェブページ３３から開いていったウェブページである。図３において図示はしていないが、ウェブページ３１、３２、３４、３５についても上記のウェブページ３３に係る履歴と同様である。
ウェブページ３１−３５の切り替えは、タッチスクリーン１１６に対するユーザの所定のドラッグ操作（ドラッグのジェスチャー操作）によって行うことができる。
［ドラッグ操作によるウェブページの切り替え動作］
図４はこの実施形態におけるドラッグ操作によるウェブページの切り替え動作を説明するためのフローチャートである。
【００３３】
制御部１１１は、タッチスクリーン１１６上に表示されているアイコンに対してダブルタップのジェスチャー操作がされたことを検出すると、タブブラウザ２０のウィドウを表示し、そこにウェブページを開く（ステップ４０１）。最初に開くウェブページは、あらかじめ設定されていたタブのホームページであってもよく、直近で閉じたときの当該タブの当該ウェブページであってもよい。
制御部１１１は、ウェブページを開いた状態のタッチスクリーン１１６に対して２本指でのドラッグ操作がされたときに以下の動作を行う（ステップ４０２）
【００３４】
制御部１１１は、表示されているタブのウェブページに対して左へのドラッグ操作であるときには（ステップ４０３）、右に空いているタブのウェブページがあるかを判断する（ステップ４０４）。例えば、表示されているタブのウェブページが、図３に示した右端のウェブページ３５であるときには、右に空いているタブのウェブページがないことになる。
【００３５】
制御部１１１は、ステップ４０４において右に空いているタブのウェブページがあると判断するときには、タブブラウザ２０のウィドウに右にあるタブのウェブページを表示するように切り替える（ステップ４０５）。例えば、表示されているタブのウェブページが、図３に示したウェブページ３３であるときには、右にあるウェブページ３４に切り替える。この場合には、制御部１１１は、左方向にウェブページ３３が移動してブラウザ２０から徐々に消え、左方向にウェブページ３４がウェブページ３３の後から並進移動してブラウザ２０から徐々に出現するように表示することで、表示されていたタブのウェブページの表示から別のタブのウェブページの表示へ切り替えるように制御する。
このようにウェブページが徐々に消え徐々に出現する模様を図５Ａ−図５Ｄに示す。
【００３６】
図５Ａは表示されているタブのウェブページ３３に対してドラッグ操作がなされたときの状態を示している。図５Ａにおいて、○の実線は２本指でのドラッグ操作がされたことを示し、○の点線はその後の左方向へのドラッグ操作がなされたときの状態を示している。このドラッグ操作に伴って、まず図５Ｂに示すようにウェブページ３３の右側の残りの部分が表れて表示される。これに続いて、図５Ｃに示すように、タブのウェブページ３３が左側に徐々に消え、右側より別の（隣の）タブのウェブページ３４が徐々に出現する。最後に図５Ｄに示すように、タブのウェブページ３３が完全に消え、タブのウェブページ３４がブラウザに表示される。この場合に、○の実線から○の点線へのドラッグ操作に係るタッチの位置の移動と同期するようにウェブページを切り替えるようにしても良いし、○の実線から○の点線へのドラッグ操作に係るタッチの位置の移動に対して慣性力をイメージできるように（ドラッグ操作に係るタッチの位置の移動に対して加速していくようなイメージができるように）ウェブページを切り替えるようにしても良い。
【００３７】
制御部１１１は、ステップ４０４において右に空いているタブのウェブページがないと判断するときには、タブのウェブページの切り替えの動作は行わない（ステップ４０６）。上記したように、例えば、表示されているタブのウェブページが、図３に示した右端のウェブページ３５であるときには、右に空いているタブのウェブページがないことになり、タブのウェブページの切り替えの動作は行わない。
【００３８】
制御部１１１は、ステップ４０２における２本指でのドラッグ操作が表示されているタブのウェブページに対して右への操作であるときには（ステップ４０７）、左に空いているタブのウェブページがあるかを判断する（ステップ４０８）。例えば、表示されているタブのウェブページが、図３に示した左端のウェブページ３１であるときには、左に空いているタブのウェブページがないことになる。
【００３９】
制御部１１１は、ステップ４０７において左に空いているタブのウェブページがあると判断するときには、タブブラウザ２０のウィドウに左にあるタブのウェブページを表示するように切り替える（ステップ４０９）。例えば、表示されているタブのウェブページが、図３に示したウェブページ３３であるときには、左にあるウェブページ３２に切り替える。この場合には、制御部１１１は、右方向にウェブページ３３が移動してブラウザ２０から徐々に消え、右方向にウェブページ３２がウェブページ３３の後から並進移動してブラウザ２０から徐々に出現するように表示することで、表示されていたタブのウェブページの表示から別のタブのウェブページの表示へ切り替えるように制御する。
【００４０】
制御部１１１は、ステップ４０８において左に空いているタブのウェブページがないと判断するときには、タブのウェブページの切り替えの動作は行わない（ステップ４０６）。上記したように、例えば、表示されているタブのウェブページが、図３に示した左端のウェブページ３１であるときには、左に空いているタブのウェブページがないことになり、タブのウェブページの切り替えの動作は行わない。
【００４１】
制御部１１１は、ステップ４０２における２本指でのドラッグ操作が表示されているタブのウェブページに対して下への操作であるときには（ステップ４１０）、上に空いている履歴に係るウェブページがあるかを判断する（ステップ４１１）。例えば、表示されているウェブページが、図３に示したウェブページ３２ａであるときには、上に空いている履歴に係るウェブページがないことになる。つまりウェブページ３２ａはそのタブにおいて最初に開いたウェブページである。
【００４２】
制御部１１１は、ステップ４１１において上に空いている履歴に係るウェブページがあると判断するときには、閉じた一個前にあるウェブページを表示するように切り替える（ステップ４１２）。例えば、表示されているタブのウェブページが、図３に示したウェブページ３３であるときには、上にあるウェブページ３３ｂに切り替える。この場合には、制御部１１１は、下方向にウェブページ３３が移動してブラウザ２０から徐々に消え、下方向にウェブページ３３ｂがウェブページ３３の上から並進移動してブラウザ２０から徐々に出現するように表示することで、表示されていたウェブページの表示から一個前にあるウェブページの表示へ切り替えるように制御する。
【００４３】
制御部１１１は、ステップ４１１において上に空いている履歴に係るウェブページがないと判断するときには、履歴に係るウェブページの切り替えの動作は行わない（ステップ４１３）。上記したように、例えば、表示されているウェブページが、図３に示した上端のウェブページ３２aであるときには、上に空いている履歴に係るウェブページがないことになり、履歴に係るウェブページの切り替えの動作は行わない。
【００４４】
制御部１１１は、ステップ４０２における２本指でのドラッグ操作が表示されているタブのウェブページに対して上への操作であるときには（ステップ４１４）、下に空いている履歴に係るウェブページがあるかを判断する（ステップ４１５）。例えば、表示されているウェブページが、図３に示したウェブページ３２ｄであるときには、下に空いている履歴に係るウェブページがないことになる。つまりウェブページ３２ｄはそのタブにおいて最後に開いたウェブページである。
【００４５】
制御部１１１は、ステップ４１５において下に空いている履歴に係るウェブページがあると判断するときには、閉じた一個先にあるウェブページを表示するように切り替える（ステップ４１６）。例えば、表示されているタブのウェブページが、図３に示したウェブページ３３であるときには、下にあるウェブページ３３ｃに切り替える。この場合には、制御部１１１は、上方向にウェブページ３３が移動してブラウザ２０から徐々に消え、上方向にウェブページ３３ｃがウェブページ３３の下から並進移動してブラウザ２０から徐々に出現するように表示することで、表示されていたウェブページの表示から一個先にあるウェブページの表示へ切り替えるように制御する。
【００４６】
制御部１１１は、ステップ４１５において下に空いている履歴に係るウェブページがないと判断するときには、履歴に係るウェブページの切り替えの動作は行わない（ステップ４１３）。上記したように、例えば、表示されているウェブページが、図３に示した下端のウェブページ３２ｄであるときには、下に空いている履歴に係るウェブページがないことになり、履歴に係るウェブページの切り替えの動作は行わない。
【００４７】
ステップ４０２における２本指でのドラッグ操作が上下左右のいずれかでもない操作、つまり斜め方向の操作である場合には、ウェブページの切り替えの動作は行わない（ステップ４１７）。
【００４８】
なお、上下左右のドラッグ操作において、それらの方向を厳格に設定しなくてもよく、例えばある程度角度をもったドラッグ操作はそれぞれ上下左右の方向の操作とみなしても構わない。また、そのドラッグ操作の角度に応じてタブや履歴のウェブページの切り替えを、例えばページ飛ばしをするようにしてもよい。例えば、左方向のドラッグ操作の角度が水平方向から所定角度以下の場合には、右隣りのタブのウェブページに切り替える。しかし、左方向のドラッグ操作の角度が水平方向から所定角度以上の場合には、右隣りでなく、２つ右のタブのウェブページに切り替えるようにしてもよい。
［ウェブページの切り替え動作の利点］
電子機器１００によれば、ユーザがタッチスクリーン１１６に対してドラッグ操作を行うだけでウェブページを切り替えることができる。
【００４９】
図６Aに示すようにユーザはブラウザにウェブページ２００が表示されたタッチスクリーン２０１上の所定のアイコン２０２を選択（ダブルタップ）すると、図６Bに示すようブラウザにタブのリスト２０３が開かれる。ユーザがそこからタブ２０３ａ−２０３ｄのいずれかを選択すると、図６Cに示すように別のタブのウェブページ２０５が開かれる。このようにしてタブのウェブページを切り替えることが考えられる。
【００５０】
図７に示すように、ブラウザ３００の所定の領域、ここでは上部の領域にタブメニュー３０１をウェブページ３０２と共に常に表示している。ユーザがタブメニュー３０１の中からタブ３０１ａ−３０１ｄのいずれかを選択する。これにより、タブのウェブページを切り替えることも考えられる。
【００５１】
図６に示した技術では、タブのウェブページの切り替えに２ステップの選択動作が必要となり、操作に煩わしさがある。図７に示した技術では、タブメニューを表示する領域だけウェブページを表示する領域が狭くなる。特にスマートフォンのようにタッチスクリーンの面積が小さく、操作部も表示部と兼用していて操作部の面積が小さい場合には、このような操作が煩わしいことや実体の表示領域が狭くなることはユーザにとって非常に不便である。
【００５２】
これに対して、電子機器１００では、ユーザがタッチスクリーン１１６に対してドラッグ操作を行うだけでタブを切り替えることができるので、タブのウェブページの切り替えに１ステップの選択動作を行うだけでよい。また、電子機器１００では、タブメニューを表示する領域を設ける必要はないので、ブラウザのほぼ全領域に実体としてのウェブページを表示することができる。つまり、本技術に係る電子機器１００では、ブラウザのほぼ全領域にウェブページを表示しつつ、１ステップの選択動作（１つのドラッグ操作）だけでタブの切り替えを行くことができる。加えて、本技術に係る電子機器１００では、タブの切り替えだけでなく、履歴に係るウェブページの切り替えも同様の１ステップの選択動作（１つのドラッグ操作）だけで行える。つまり、本技術に係る電子機器１００では、タブの切り替えは左右のドラッグ操作で、また履歴に係るウェブページの切り替えは上下のドラッグ操作を行うことで、それぞれ属性の異なるウェブページの切り替えを行うことができる。よって、ユーザはドラッグ操作の方向に応じてタブの切り替えとウェブ履歴に関連するウェブページの切り替えができるので、簡単な操作で特定のウェブページに辿り着くことができる。
【００５３】
なお、上記の切り替えのためのドラッグ操作の方向は一例を示しただけで、別の方向のドラッグ操作に応じてウェブページを切り替えるようにしてももちろん構わない。例えば上下方向のドラッグ操作に応じてタブのウェブページを切り替えるようにしても構わない。
【００５４】
本技術に係る電子機器１００では、タッチスクリーン１１６の例えば左方向にドラッグ操作が向かうとき、左端方向に現在表示しているタブのウェブページが移動してブラウザから消えていく。これとともに、右端方向から左方向に向けてこの後表示されるタブのウェブページが現在表示されているタブのウェブページの後からほぼ連接して並進移動してブラウザから出現する。また、履歴に係るウェブページの切り替えも同様の表示によって行われる。従って、ユーザは次に表示されるウェブページの表示を確認しながらウェブページを切り替えることができる。
【００５５】
この場合、制御部１１１は、タッチスクリーン１１６の例えば左方向にドラッグ操作が向かう間に、現在表示していたタブのウェブページがブラウザから消えたときには（例えば図５Ｄの状態）、次のタブのウェブページをブラウザに表示する。一方、制御部１１１は、現在表示しているタブのウェブページがブラウザから消える前に（例えば図５Ｂや図５Ｃの状態）ドラッグ操作が終了したときには、次のタブのウェブページを表示するのではなく、それまで表示していたタブのウェブページに戻す。これにより、ユーザはタブの切り替え、或いは切り替えのキャンセルをより直感的に操作で行うことができる。このような直感的な操作による切り替えは、タブの切り替えだけでなく、履歴に係るウェブページの切り替えにも適用できる。
【００５６】
制御部１１１は、例えば左方向のドラッグ操作に応じて左方向に次のタブのウェブページが現在表示されているタブのウェブページの後から並進移動している間に、ドラッグ操作が右方向に切り替わらない限り、次のタブに切り替えるようにしてもよい。例えば図５Ｃの状態でドラッグ操作が終了すると、元のタブに戻すのではなく、次のタブに切り替える。しかし、左方向のドラッグ操作に応じて左方向に次のタブのウェブページが現在表示されているタブのウェブページの後から並進移動している間に、ドラッグ操作が右方向に反転したときには、元のタブに戻す。例えば図５Ｃの状態でドラッグ操作が反転すると、次のタブに切り替えるのではなく元のタブに戻す。これにより、ユーザはタブの切り替え、或いは切り替えのキャンセルをより直感的に操作で行うことができる。このような直感的な操作による切り替えも、タブの切り替えだけでなく、履歴に係るウェブページの切り替えにも適用できる。
［他の実施形態］
【００５７】
上記の実施形態では、タブの切り替えばかりでなく履歴に係るウェブページの切り替えもドラッグ操作によって行うものであったが、ドラッグ操作によって履歴に係るウェブページの切り替えではなくハイパーリンクに関連するウェブページへの切り替えを行ってもよい。例えば、ドラッグ操作が左右の場合にはタブの切り替えを行い、ドラッグ操作が上下の場合にはハイパーリンクに関連するウェブページへの切り替えを行うようにする。図８は電子機器１００のタッチスクリーン１１６のブラウザに表示されたウェブページ４００を示している。このウェブページ４００には例えば上から順番４０１、４０２、４０３、４０４、４０５のハイパーリンクが埋め込まれているとする。例えば、ラッグ操作が下方向の場合には４０５のハイパーリンクから順番にウェブページを切り替え、ドラッグ操作が上方向の場合には４０１のハイパーリンクから順番にウェブページを切り替える。従って、ユーザは、ドラッグの方向に応じてタブの切り替えとハイパーリンクに関連するウェブページの切り替えができるので、簡単な操作で特定のウェブページに辿り着くことができる。なお、上記の例でハイパーリンクが左右の方向に埋め込まれている場合には、例えば左側にあるハイパーリンクの方が上に存在するハイパーリンクであるとみなせばよい。
本技術の実施形態は、上記の実施形態に限定されるものではなく、本技術の要旨を逸脱しない範囲において種々の変更が可能である。
上記の実施形態では、２本指によるドラッグ操作に応じてウェブページを切り替えるものであったが、１本指、３本指などによるドラッグ操作に応じてウェブページを切り替えるものであってもよい。
上記の実施形態では、左右方向のドラッグ操作に応じてタブを切り替えていたが、上下方向のドラッグ操作に応じてタブを切り替えてもよい。
上記の実施形態では、ウェブページが移動してブラウザから徐々に消え、次のウェブページがそのウェブページの後から並進移動してブラウザから徐々に出現することで、タブの切り替えが行われていた。しかし、所定のドラッグ操作、３本指のドラッグ操作があったときに、瞬時に次のタブのウェブページが出現するなど、他の表示によってタブが切り替わるものであっても構わない。或いはドラッグ操作の相違、例えば２本指、３本指のドラッグ操作の相違に応じて、異なる表示方法でタブが切り替わるようにしても構わない。
【００５８】
本技術は以下のような構成も採ることができる。
（１）タッチスクリーンと、
前記タッチスクリーンのブラウザに第１のタブのウェブページを表示し、前記タッチスクリーンへのドラッグ操作に応じて前記第１のタブのウェブページの表示から第２のタブのウェブページの表示へ切り替える制御部と
を具備する電子機器。
【００５９】
（２）前記（１）に記載の電子機器であって、
前記制御部は、前記タッチスクリーンの第１の方向に前記ドラッグ操作が向かうとき、前記第１の方向に前記第１のタブのウェブページが移動して前記ブラウザから消え、前記第１の方向に前記第２のタブのウェブページが前記第１のタブのウェブページの後から並進移動して前記ブラウザから出現するように表示することで、前記第１のタブのウェブページの表示から前記第２のタブのウェブページの表示へ切り替える
電子機器。
【００６０】
（３）前記（２）に記載の電子機器であって、
前記制御部は、前記タッチスクリーンの第１の方向と直交する第２の方向に前記ドラッグ操作が向かうとき、前記第２の方向に前記第１のタブのウェブページが移動して前記ブラウザから消え、前記第２の方向に前記第１のタブのウェブページのウェブ履歴に関連する別のウェブページが前記第１のタブのウェブページの後から並進移動して前記ブラウザから出現するように表示することで、前記第１のタブのウェブページの表示から前記第１のタブのウェブページのウェブ履歴に関連する別のウェブページの表示へ切り替える
電子機器。
【００６１】
（４）前記（２）又は（３）に記載の電子機器であって、
前記制御部は、前記タッチスクリーンの第１の方向と直交する第２の方向に前記ドラッグ操作が向かうとき、前記第２の方向に前記第１のタブのウェブページが移動して前記ブラウザから消え、前記第２の方向に前記第１のタブのウェブページのハイパーリンクに関連する別のウェブページが前記第１のタブのウェブページの後から並進移動して前記ブラウザから出現するように表示することで、前記第１のタブのウェブページの表示から前記第１のタブのウェブページのハイパーリンクに関連する別のウェブページの表示へ切り替える
電子機器。
【００６２】
（５）前記（２）〜（４）のいずれかに記載の電子機器であって、
前記制御部は、前記タッチスクリーンの第１の方向に前記ドラッグ操作が向かう間に、前記第１のタブのウェブページが前記ブラウザから消えたときに、前記第１のタブのウェブページが戻って表示されることなく、前記第１のタブのウェブページの表示から前記第２のタブのウェブページの表示へ切り替える
電子機器。
【００６３】
（６）前記（２）〜（５）のいずれかにに記載の電子機器であって、
前記制御部は、前記第１の方向に前記第２のタブのウェブページが前記第１のタブのウェブページの後から並進移動している間に、前記ドラッグ操作が前記第１の方向と反対方向の第２の方向に向かったとき、前記第１のタブのウェブページの表示から前記第２のタブのウェブページの表示へ切り替えることなく、前記第１のタブのウェブページを表示する
電子機器。
（７）タッチスクリーンのブラウザに第１のタブのウェブページを表示し、
前記タッチスクリーンへのドラッグ操作に応じて前記第１のタブのウェブページの表示から第２のタブのウェブページの表示へ切り替える
表示方法。
【００６４】
（８）前記（７）に記載の表示方法であって、
前記タッチスクリーンの第１の方向に前記ドラッグ操作が向かうとき、前記第１の方向に前記第１のタブのウェブページが移動して前記ブラウザから消え、前記第１の方向に前記第２のタブのウェブページが前記第１のタブのウェブページの後から並進移動して前記ブラウザから出現するように表示することで、前記第１のタブのウェブページの表示から前記第２のタブのウェブページの表示へ切り替える
表示方法。
【００６５】
（９）前記（８）に記載の表示方法であって、
前記タッチスクリーンの第１の方向と直交する第２の方向に前記ドラッグ操作が向かうとき、前記第２の方向に前記第１のタブのウェブページが移動して前記ブラウザから消え、前記第２の方向に前記第１のタブのウェブページのウェブ履歴に関連する別のウェブページが前記第１のタブのウェブページの後から並進移動して前記ブラウザから出現するように表示することで、前記第１のタブのウェブページの表示から前記第１のタブのウェブページのウェブ履歴に関連する別のウェブページの表示へ切り替える
表示方法。
【００６６】
（１０）前記（８）又は（９）に記載の表示方法であって、
前記タッチスクリーンの第１の方向と直交する第２の方向に前記ドラッグ操作が向かうとき、前記第２の方向に前記第１のタブのウェブページが移動して前記ブラウザから消え、前記第２の方向に前記第１のタブのウェブページのハイパーリンクに関連する別のウェブページが前記第１のタブのウェブページの後から並進移動して前記ブラウザから出現するように表示することで、前記第１のタブのウェブページの表示から前記第１のタブのウェブページのハイパーリンクに関連する別のウェブページの表示へ切り替える
表示方法。
【００６７】
（１１）前記（８）〜（１０）のいずれかに記載の表示方法であって、
前記タッチスクリーンの第１の方向に前記ドラッグ操作が向かう間に、前記第１のタブのウェブページが前記ブラウザから消えたときに、前記第１のタブのウェブページが戻って表示されることなく、前記第１のタブのウェブページの表示から前記第２のタブのウェブページの表示へ切り替える
表示方法。
【００６８】
（１２）前記（８）〜（１１）のいずれかに記載の表示方法であって、
前記制御部は、前記第１の方向に前記第２のタブのウェブページが前記第１のタブのウェブページの後から並進移動している間に、前記ドラッグ操作が前記第１の方向と反対方向の第２の方向に向かったとき、前記第１のタブのウェブページの表示から前記第２のタブのウェブページの表示へ切り替えることなく、前記第１のタブのウェブページを表示する
表示方法。
（１３）タッチスクリーンのブラウザに第１のタブのウェブページを表示するステップと、
前記タッチスクリーンへのドラッグ操作に応じて前記第１のタブのウェブページの表示から第２のタブのウェブページの表示へ切り替えるステップと
を電子機器に実行させるプログラム。
【００６９】
（１４）前記（１３）に記載のプログラムであって、
前記タッチスクリーンの第１の方向に前記ドラッグ操作が向かうとき、前記第１の方向に前記第１のタブのウェブページが移動して前記ブラウザから消え、前記第１の方向に前記第２のタブのウェブページが前記第１のタブのウェブページの後から並進移動して前記ブラウザから出現するように表示することで、前記第１のタブのウェブページの表示から前記第２のタブのウェブページの表示へ切り替える
プログラム。
【００７０】
（１５）前記（１４）に記載のプログラムであって、
前記タッチスクリーンの第１の方向と直交する第２の方向に前記ドラッグ操作が向かうとき、前記第２の方向に前記第１のタブのウェブページが移動して前記ブラウザから消え、前記第２の方向に前記第１のタブのウェブページのウェブ履歴に関連する別のウェブページが前記第１のタブのウェブページの後から並進移動して前記ブラウザから出現するように表示することで、前記第１のタブのウェブページの表示から前記第１のタブのウェブページのウェブ履歴に関連する別のウェブページの表示へ切り替える
プログラム。
【００７１】
（１６）前記（１４）又は（１５）に記載のプログラムであって、
前記タッチスクリーンの第１の方向と直交する第２の方向に前記ドラッグ操作が向かうとき、前記第２の方向に前記第１のタブのウェブページが移動して前記ブラウザから消え、前記第２の方向に前記第１のタブのウェブページのハイパーリンクに関連する別のウェブページが前記第１のタブのウェブページの後から並進移動して前記ブラウザから出現するように表示することで、前記第１のタブのウェブページの表示から前記第１のタブのウェブページのハイパーリンクに関連する別のウェブページの表示へ切り替える
プログラム。
【００７２】
（１７）前記（１４）〜（１６）のいずれかに記載のプログラムであって、
前記タッチスクリーンの第１の方向に前記ドラッグ操作が向かう間に、前記第１のタブのウェブページが前記ブラウザから消えたときに、前記第１のタブのウェブページが戻って表示されることなく、前記第１のタブのウェブページの表示から前記第２のタブのウェブページの表示へ切り替える
プログラム。
【００７３】
（１８）前記（１４）〜（１７）のいずれかに記載のプログラムであって、
前記制御部は、前記第１の方向に前記第２のタブのウェブページが前記第１のタブのウェブページの後から並進移動している間に、前記ドラッグ操作が前記第１の方向と反対方向の第２の方向に向かったとき、前記第１のタブのウェブページの表示から前記第２のタブのウェブページの表示へ切り替えることなく、前記第１のタブのウェブページを表示する
プログラム。
【符号の説明】
【００７４】
１００  電子機器
１１１  制御部
１１６  タッチスクリーン
【図１】
0005768457.tif 000002
【図２】
0005768457.tif 000003
【図３】
0005768457.tif 000004
【図４】
0005768457.tif 000005
【図５Ａ】
0005768457.tif 000006
【図５Ｂ】
0005768457.tif 000007
【図６Ａ】
0005768457.tif 000008
【図６Ｂ】
0005768457.tif 000009
【図６Ｃ】
0005768457.tif 000010
【図７】
0005768457.tif 000011
【図８】
0005768457.tif 000012
【図５Ｃ】
0005768457.tif 000013
【図５Ｄ】
0005768457.tif 000014